(57)【特許請求の範囲】
【請求項１】
額縁状の前枠の裏面側に固定したリアプレートに配線押え具で配線を押える遊技機枠の配線装置において、リアプレートの平坦な上側壁により形成された配線基体には、頭部を有する立設された複数の支持部と、支持部より左右両側に位置する孔により形成された受止部とが設けられ、配線押え具が弾性変形可能な材料で帯状に形成されると共に固定部と係合部とを備え、固定部が配線押え具の帯状の長手方向中間部において一側部より内部にくびれ部を有して窪む切欠により形成され、係合部が配線押え具の帯状の長手方向両端部において下部への湾曲状の突出部と突出部より外側に延びるアーム部とにより形成され、固定部と係合部とが薄肉ヒンジで互いに連結され、薄肉ヒンジが固定部の近傍に設けられ、薄肉ヒンジと係合部との間が平坦な帯状に形成されている一方、配線押え具の固定部が配線基体の支持部の頭部と配線基体との間にリアプレートの裏側より挿入されて、固定部のくびれ部が撓みつつ配線基体の支持部を通過し、配線押え具の長手方向中間部が配線基体に装着され、配線が配線押え具の長手方向両端部と配線基体の上側壁との間に引き通され、配線押え具の長手方向両端部が押し下げられ、配線押え具の係合部が配線基体の受止部に押込まれると、係合部の突出部が弾性変形して配線基体の受止部の内部に入って受止部に係合することによって、配線基体と配線押え具とが配線を押えることを特徴とする遊技機枠の配線装置。
【請求項２】
配線押え具が突出部のアーム部側の外側面に段差状に突出するフック部を備え、突出部が弾性変形して配線基体の受止部の内部に入ることによって、係合部のフック部が受止部を上から下に超えることで、突出部が復元し、フック部が受止部に係合することを特徴とする請求項１記載の遊技機枠の配線装置。
【請求項３】
支持部が配線基体より切起こしたフックで形成され、固定部がフックに嵌め込む平坦に形成され、この固定部の両側に位置決定部を突設したことを特徴とする請求項１記載の遊技機枠の配線装置。
【発明の詳細な説明】
【０００１】
【発明の属する技術分野】
本発明は遊技機枠の配線装置に関する。
【０００２】
【従来の技術】
パチンコ機やスロットマシン等の遊技機では多数本の配線を束ねた配線押え具を両面粘着テープ又は止ねじで枠体に取付けている。
【０００３】
【発明が解決しようとする課題】
しかし、前記従来例では設置高が高く、使用場所が限定を受けることは否めなかった。
【０００４】
そこで、本発明は、設置高を低くすることができる遊技機枠の配線装置を提供するものである。
【０００５】
【課題を解決するための手段】
本発明にあっては、額縁状の前枠の裏面側に固定したリアプレートに配線押え具で配線を押える遊技機枠の配線装置において、リアプレートの平坦な上側壁により形成された配線基体には、頭部を有する立設された複数の支持部と、支持部より左右両側に位置する孔により形成された受止部とが設けられ、配線押え具が弾性変形可能な材料で帯状に形成されると共に固定部と係合部とを備え、固定部が配線押え具の帯状の長手方向中間部において一側部より内部にくびれ部を有して窪む切欠により形成され、係合部が配線押え具の帯状の長手方向両端部において下部への湾曲状の突出部と突出部より外側に延びるアーム部とにより形成され、固定部と係合部とが薄肉ヒンジで互いに連結され、薄肉ヒンジが固定部の近傍に設けられ、薄肉ヒンジと係合部との間が平坦な帯状に形成されている一方、配線押え具の固定部が配線基体の支持部の頭部と配線基体との間にリアプレートの裏側より挿入されて、固定部のくびれ部が撓みつつ配線基体の支持部を通過し、配線押え具の長手方向中間部が配線基体に装着され、配線が配線押え具の長手方向両端部と配線基体の上側壁との間に引き通され、配線押え具の長手方向両端部が押し下げられ、配線押え具の係合部が配線基体の受止部に押込まれると、係合部の突出部が弾性変形して配線基体の受止部の内部に入って受止部に係合することによって、配線基体と配線押え具とが配線を押えることを特徴としている。よって、本発明によれば、配線押え具の一側部より内部にくびれ部を有して窪む切欠により形成された固定部が、リアプレートの裏側から、支持部の立設する方向と交差する方向で、支持部の頭部と配線基板との間、に挿入されることによって、配線押え具がリアプレートの平坦な上側壁により形成された配線基体に装着されるので、配線をリアプレートの周囲に引き回した後に、配線押え具を配線基体に取付ければ、配線装置が配線作業の邪魔にならず、配線作業を容易に行うことができるうえ、配線装置で配線を押えた状態において、配線押え具のアーム部を持上げることにより、配線押え具の係合部と配線基体の受止部との係合を容易に解除することができるうえ、薄肉ヒンジが固定部近傍に設けられ、薄肉ヒンジと係合部との間が平坦な帯状に形成されているので、薄肉ヒンジと係合部との間の平坦な帯状の部分を弾性変形しにくく形成しても、薄肉ヒンジで当該平坦な帯状の部分に十分な開度が得られ、配線による平坦な帯状の部分の盛上がりを最も良く抑えることができる。又、本発明にあっては、配線押え具が突出部のアーム部側の外側面に段差状に突出するフック部を備え、突出部が弾性変形して配線基体の受止部の内部に入ることによって、係合部のフック部が受止部を上から下に超えることで、突出部が復元し、フック部が受止部に係合すれば、配線押え具の配線基体への取付姿勢が安定する。又、本発明にあっては、支持部が配線基体より切起こしたフックで形成され、固定部がフックに嵌め込む平坦に形成され、この固定部の両側に位置決定部を突設しても、配線基体における頭部を有する支持部と配線押え具における切欠による固定部との嵌め合いと同様、配線押え具の平坦に形成された固定部を、リアプレートの裏側から、支持部の立設する方向と交差する方向で、フックと配線基板との間、に挿入されすることができる。
【０００６】
【発明の実施の形態】
図１〜図４は本発明の第１実施形態であって、図１は遊技機枠２１の配線装置１の外観を分解して示し、図２は配線基体２の支持部３周りを縦方向に切断した断面を示し、図３は配線基体２に配線押え具５を取付けた外観を示し、図４は配線基体２と配線押え具５とで配線を押えた外観を示し、図５は遊技機枠体２１の配線装置１周りの背面を示す。図１において配線押え具５と前枠２３との縮尺は同じではなく、配線押え具５を前枠２３よりも拡大図示している。
【０００７】
図１を参照し、遊技機枠の配線装置１について説明する。遊技機枠の配線装置１は配線基体２とこれとの協働で配線を押える配線押え具５とを備え、配線基体２が支持部３と受止部４とを備え、配線押え具５が弾性変形可能な材料で帯状に形成されると共に支持部３に連結される固定部６と受止部４に連結される係合部７とを備える。
【０００８】
第１実施形態では、配線基体２はリアプレート２５の平坦な上側壁により形成され、支持部３は図２にも示すように配線基体２に上方より締結された段付ねじにより形成され、受止部４は支持部３より左右両側へ所定間隔の位置に設けられた孔により形成される。配線押え具５は合成樹脂により単一体として形成され、固定部６は帯状の長手方向中間部において一側部より内部にくびれ部を有して窪む切欠により形成され、係合部７は帯状の長手方向両端部において下部への湾曲状の突出部８と突出部８より外側に延びるアーム部９と突出部８のアーム部９側の外側面に段差状に突出するフック部１０とにより形成される。固定部６を備えた長手方向中間部と係合部７を備えた長手方向両端部とは左右の薄肉ヒンジ１１で互いに連結される。薄肉ヒンジ１１は固定部６の近傍に設けられ、薄肉ヒンジ１１と係合部８との間が平坦な帯状に形成されている。
【０００９】
遊技機枠体２１はパチンコ店の島に固定される額縁状の外枠２２（図５参照）に額縁状の前枠２３を枠ヒンジ２４で横前側に片開き可能に取付け、前枠２３の裏側面にリアプレート２５を固定し、リアプレート２５の裏側面に上タンク２６、下タンク２７、中継基板２８が装着された合成樹脂よりなる基板ベース２９、球払出機構３０、リアカバー３１、球樋３２、発射制御装置３３及び球払出制御装置３４等を備える。配線基体２は中継基板２８の近傍に位置する。
【００１０】
第１実施形態の構造によれば、段付ねじよりなる支持部３を配線基体２に締結して立設し、配線押え具５の固定部６を図２に示す支持部３の頭部と配線基体２との間にリアプレート２５の裏側より挿入し、配線押え具５の長手方向中間部を図３に示すように配線基体２に装着する。固定部６を支持部３に装着する場合、固定部６を押込むことで固定部６のくびれ部が撓みつつ支持部３を通過し、その後、支持部３が固定部６のくびれ部より奥に配置されるので、装着後に、固定部６が支持部３より自然に抜けることはなく、配線押え具５が支持部３を介して配線基体２に安定装着される。そして、中継基板２８に実装されたコネクタ３５に接続された配線３６を配線押え具５の長手方向両端部と配線基体２の上側壁との間に引き通す。
【００１１】
その後、配線押え具５の長手方向両端部を押し下げて、配線押え具５の係合部７を配線基体２の受止部４に押込む。すると、係合部７の突出部８が弾性変形して配線基体２の受止部４の内部に入り、係合部７のフック部１０が受止部４の入口を上から下に超えることで、突出部８が復元し、フック部１０が受止部４に係合する。これによって、図４に示すように、配線基体２と配線押え具５とが相互作用である協働により配線３６を押える。
【００１２】
配線押え具５が帯状の基本形を有するので、図４に示すように配線３６を押えた遊技機枠２１の配線装置１のリアプレート２５からの高さつまり設置高を低くすることができる。このように遊技機枠２１の配線装置１の設置高が低くなったことで、前枠２３を開閉する場合に、配線３６及び遊技機枠２１の配線装置１が図５に示すようにリアプレート２５と外枠２２との狭い隙間ｄを通過する際に外枠２２にひっかかることは防止できる。
【００１３】
図４に示すように配線装置１で配線３６を押えた状態において、配線押え具５のアーム部９を持上げることにより、配線押え具５の係合部７と配線基体２の受止部４との係合は解除される。
【００１４】
配線３６をリアプレート２５の周囲に引き回した後に、配線押え具５を配線基体２に取付ければ、配線装置１が配線作業の邪魔にならず、配線作業を容易に行うことができる。
【００１５】
図６に示すように、支持部３を配線基体２より切起こしたフックで形成し固定部６をフックなる支持部３に嵌め込む平坦に形成しても良い。この図６では配線押え具５の長手方向中間部に位置決決定部３７を突設し、配線押え具５を配線基体２に位置決めしつつ取付けるようにしている。
【図面の簡単な説明】
【図１】本発明の第１実施形態の配線装置を示す分解斜視図。
【図２】同第１実施形態の支持部を示す縦断面図。
【図３】同第１実施形態の配線基体と配線押え具との組立形態を示す斜視図。
【図４】同第１実施形態の配線を押えた形態を示す斜視図。
【図５】同第１実施形態の遊技機枠体を示す背面図。
【図６】本発明の第２実施形態の支持部を示す斜視図。
【符号の説明】
１  配線装置
２  配線基体
３  支持部
４  受止部
５  配線押え具
６  固定部
７  係合部
３６  配線
【図１】
0003549473.tif 000002
【図２】
0003549473.tif 000003
【図３】
0003549473.tif 000004
【図４】
0003549473.tif 000005
【図５】
0003549473.tif 000006
【図６】
0003549473.tif 000007